(57)【要約】【課題】簡単な構成で製造が容易であり適切に情報処理できるディスク装置を提供する。【解決手段】移動する情報処理部２４０に一体的に接続するフレキシブル基板１５０が接続する回路基板１４０に、トレイ部１２０の係止リブで位置決めする位置決め孔１４７と、この位置決め部を中心とした円弧長孔状でトレイ部１２０にねじ止めする取付ねじが挿通する取付挿通孔１４８とを設ける。フレキシブル基板１５０をねじったりすることなくフレキシブル基板１５０の端子部とコネクタ１４６との差し込み接続作業が、位置決め孔１４７を中心として回路基板１４０を回動させることで容易にできる。取付ねじを挿通する取付挿通孔１４８を円弧長孔状に形成する簡単な構成で、フレキシブル基板１５０をねじれずに容易に適切な接続ができ、製造性を向上でき、安定して情報処理部２４０が移動できる。【選択図】図３
2008130127.tif 000002
【特許請求の範囲】
【請求項１】
筐体と、この筐体内に配設され略中央に孔部を有するディスク状の記録媒体を着脱可能に保持する保持手段と、この保持手段に接離方向に移動可能に前記筐体内に配設され前記記録媒体へ情報を記録する記録処理および前記記録媒体に記録された情報を読み取る読取処理のうちの少なくともいずれか一方の情報処理を実施する情報処理部と、前記筐体内に配設され前記情報処理を実施させる制御をする制御回路を搭載した回路基板と、前記回路基板および前記情報処理部間に電気的かつ機械的に接続され、可撓性を有した樹脂フィルムに導電パターンが印刷されて形成された帯状のフレキシブル基板と、を備えたディスク装置であって、
前記フレキシブル基板は、前記情報処理部の移動方向に沿って前記情報処理部から延出する状態に接続されるとともに、中間部が折り返されて前記情報処理部の移動方向に対して交差する方向で前記回路基板に接続され、
前記回路基板は、前記筐体に設けられた係止部に位置決め係合される係合部と、この係合部を中心とした円弧状に長手状に形成され前記筐体に取り付けられる取付部材が挿通されて取付固定される複数の取付挿通孔と、を備えた
ことを特徴としたディスク装置。
【請求項２】
請求項１に記載のディスク装置であって、
前記保持手段は、前記筐体内に配設された長手枠状の台座部における長手方向の一端部に配設され、
前記情報処理部は、前記台座部に長手方向に略沿って移動可能に配設され、
前記台座部は、前記保持手段が前記筐体の略中央に位置し長手方向の他端側が前記筐体の周縁部に位置する状態に配設され、
前記回路基板は、前記筐体内に前記台座部が位置しない領域に配設された
ことを特徴としたディスク装置。
【請求項３】
請求項１または請求項２に記載のディスク装置であって、
前記フレキシブル基板は、長手方向の一端部が前記情報処理部に接続され、長手方向の他端部に長手方向に対して交差する方向に複数の端子が配列し前記回路基板に接続される端子部を有し、
前記回路基板は、前記情報処理部の移動方向に略沿って配列し前記フレキシブル基板の端子部が接続する端子を有したコネクタを備えた
ことを特徴としたディスク装置。
【請求項４】
請求項３に記載のディスク装置であって、
前記係合部は、前記コネクタの端子が配列する配列方向の略延長線上に位置して設けられた
ことを特徴としたディスク装置。
【発明の詳細な説明】
【技術分野】
【０００１】
本発明は、ディスク状の記録媒体を保持して移動する情報処理部にて情報処理するディスク装置に関する。
【背景技術】
【０００２】
従来、ディスク状の記録媒体、例えばＣＤ（Compact Disc）やＤＶＤ（Digital Versatile Disc）などの光ディスクに、各種データを記録したり、記録された各種データを読み出したりする情報処理を実施するディスク装置が一般的に知られている。
この従来の一般的なディスク装置は、ターンテーブルに回転可能に軸支された光ディスクの記録面に、光ディスクの略径方向で移動する光ピックアップを搭載した情報処理部により、情報処理を実施する。そして、光ピックアップは、ディスク装置全体の制御をする回路基板と、可撓性を有する帯状のフレキシブル基板により接続され、回路基板に搭載された制御回路により制御されて情報処理を実施する。
【発明の開示】
【発明が解決しようとする課題】
【０００３】
しかしながら、回路基板および移動する情報処理部と、フレキシブル基板との適切な接続状態が得られないと、帯状のフレキシブル基板がねじれる状態となり、ねじれに対するフレキシブル基板の復元力により情報処理部の安定した移動が得られなくなったり、フレキシブル基板が損傷したりするなどのおそれがある問題点が一例として上げられる。
また、フレキシブル基板を接続するためにコネクタを用いる場合、コネクタの取付向きがずれていたり、フレキシブル基板のコネクタに接続される部分の向きがずれていたりするなどの寸法公差などにより、接続作業が繁雑となるおそれがある問題点が一例として挙げられる。
【０００４】
本発明は、このような実情などに鑑みて、簡単な構成で製造が容易であり適切な情報処理が得られるディスク装置を提供することを一つの目的とする。
【課題を解決するための手段】
【０００５】
請求項１に記載の発明は、筐体と、この筐体内に配設され略中央に孔部を有するディスク状の記録媒体を着脱可能に保持する保持手段と、この保持手段に接離方向に移動可能に前記筐体内に配設され前記記録媒体へ情報を記録する記録処理および前記記録媒体に記録された情報を読み取る読取処理のうちの少なくともいずれか一方の情報処理を実施する情報処理部と、前記筐体内に配設され前記情報処理を実施させる制御をする制御回路を搭載した回路基板と、前記回路基板および前記情報処理部間に電気的かつ機械的に接続され、可撓性を有した樹脂フィルムに導電パターンが印刷されて形成された帯状のフレキシブル基板と、を備えたディスク装置であって、前記フレキシブル基板は、前記情報処理部の移動方向に沿って前記情報処理部から延出する状態に接続されるとともに、中間部が折り返されて前記情報処理部の移動方向に対して交差する方向で前記回路基板に接続され、前記回路基板は、前記筐体に設けられた係止部に位置決め係合される係合部と、この係合部を中心とした円弧状に長手状に形成され前記筐体に取り付けられる取付部材が挿通されて取付固定される複数の取付挿通孔と、を備えたことを特徴としたディスク装置である。
【発明を実施するための最良の形態】
【０００６】
以下、本発明における一実施形態を図面に基づいて説明する。
図１は、本発明の一実施形態に係るディスク装置の内部の概略を示す平面図である。図２は、ディスク装置のトレイ部を引き出した状態におけるディスク装置の内部を示す平面図である。図３は、トレイ部の背面側を示す平面図である。図４は、情報処理部を示す平面図である。
【０００７】
〔ディスク装置の構成〕
図１ないし図３において、１００は、本発明の一実施形態にかかるディスク装置である。このディスク装置１００は、例えばノート型のパーソナルコンピュータなどの携帯型の電気機器や、車両などに搭載される電気機器などに装着される、いわゆるセルフチャック機構のスリムディスク装置（あるいはスリムディスクドライブ）と称されるものである。
このディスク装置１００は、図示しないディスク状の記録媒体における少なくとも一面に設けられた記録面に記録された情報を読み込む読込処理、および記録面へ各種情報を記録する記録処理のうち少なくとも一方の処理をする。ここで、このディスク状の記録媒体としては、例えば、ＣＤ(Compact Disc)やＤＶＤ(Digital Versatile Disc)あるいはＢＤ（Blu-ray Disc：ブルーレイディスク）またはＨＤ−ＤＶＤ（High Definition DVD）などの光ディスク、光磁気ディスク、磁気ディスク、あるいは、これらを貼り合わせた複合ディスクなどの各種構成を例示することができる。
そして、ディスク装置１００は、例えば金属製で内部空間を有し一側面に図示しない挿排口が設けられた筐体を構成する略四角箱状のケース体１１０を有している。また、ケース体１１０内には、筐体を構成するトレイ部１２０と、このトレイ部１２０をケース体１１０の開口を介して進退させる搬送手段１３０と、ディスク装置１００全体の動作を制御する制御回路を搭載した回路基板１４０と、が配設されている。
【０００８】
トレイ部１２０は、トレイ１２１と、化粧板１２２と、を備えている。
トレイ１２１は、例えば合成樹脂などにて略板状に形成されている。そして、トレイ１２１には、略中央部に装着開口１２１Ａが開口形成されている。
化粧板１２２は、トレイ１２１の一縁に設けられ、搬送手段１３０にてケース体１１０内に後退された状態でケース体１１０の開口を閉塞する合成樹脂などにて細長板状に形成されている。
そして、トレイ部１２０には、トレイ１２１の装着開口１２１Ａに一部が臨む状態にディスク処理部としてのトラバースメカ２００が配設されている。
【０００９】
搬送手段１３０は、ケース体１１０内に配設されたガイドレール１３１と、図示しない付勢手段と、図示しない付勢解除手段と、などを備えている。
ガイドレール１３１は、トレイ部１２０の開口を介した進退方向に沿って配設され、トレイ部１２０の進退移動を案内誘導する。
付勢手段は、例えばばね部材などで、トレイ部１２０がケース体１１０内に後退された状態で弾性変形され、弾性変形による復元力をトレイ部１２０が開口を介して進出する状態に作用させる。
付勢解除手段は、トレイ部１２０がケース体１１０内に後退されて化粧板１２２が開口を閉塞した状態でトレイ部１２０に設けられた図示しない係脱手段に係合する。そして、付勢解除手段は、例えば化粧板１２２に配設されたイジェクトボタンの操作など、トレイ部１２０の進出要求に応じて係脱手段の係合状態を解除する。
【００１０】
トレイ部１２０に配設されたトラバースメカ２００は、長手状で略六角形の枠状に形成された台座部２１０を備えている。
この台座部２１０には、長手方向の一端側の周縁近傍に位置して、ディスク回転駆動手段２２０が配設されている。
そして、台座部２１０は、長手方向の一端であるディスク回転駆動手段２２０がケース体１１０における略中央に位置し、他端側がケース体１１０の周縁部となる一隅、例えば化粧板１２２の一端側に位置する状態に配設される。
【００１１】
ディスク回転駆動手段２２０は、スピンドルモータである図示しない回転用電動モータと、この回転用電動モータの出力軸に一体的に設けられた略円盤状の保持手段としてのターンテーブル２２１と、を備えている。
ターンテーブル２２１は、略円柱状の軸支部２２１Ａと、この軸支部２２１Ａの軸方向の一端部に外方に向けて鍔状に一体に突設された鍔部２２１Ｂと、を備えている。そして、軸支部２２１Ａは、光ディスクの略中心位置に形成された装着孔の内径と略同径もしくは若干径小の外径に形成されている。また、鍔部２２１Ｂにおける軸支部２２１Ａが突出する側の面には、例えばゴムなどの摩擦係数が比較的に大きい部材である滑り止め部２２１Ｃが略環状に設けられている。なお、滑り止め部２２１Ｃは、環状に限らず、複数のゴムを環状配置するなど、光ディスクに当接することで滑り止めとなる各種形態や材料を利用できる。
また、ターンテーブル２２１の軸支部２２１Ａには、軸支部２２１Ａの外周面から進退可能に進出し光ディスクの装着孔を係脱可能な図示しないディスク係脱爪部を備えている。これらディスク係脱爪部は、例えば、軸支部２２１Ａの周方向で略三等分する位置に３つ配設されている。なお、３つに限らず、さらに複数設けてもよい。
そして、ターンテーブル２２１は、ディスク係脱爪部に光ディスクの装着孔を係合させることで、光ディスクを回転可能に保持する。
さらに、ディスク回転駆動手段２２０は、回路基板１４０の制御回路部に電気的に接続され、制御回路部から入力される所定の信号に基づいて駆動される。すなわち、制御回路部から所定の信号が入力されると、回転用電動モータが駆動されてターンテーブル２２１が回転され、この回転するターンテーブル２２１に装着された光ディスクも回転される。
【００１２】
また、台座部２１０には、処理移動手段２３０が配設されている。
処理移動手段２３０は、図３に示すように、軸方向が略平行に台座部２１０に長手方向に略沿って配設された一対のガイドシャフト２３１と、例えばステッピングモータである移動用電動モータ２３２と、を備えている。
移動用電動モータ２３２の図示しない出力軸には、外周面に螺旋状の図示しない係合溝が設けられたリードスクリュが同軸上に一体に連結されている。
【００１３】
さらに、台座部２１０には、図１ないし図３に示すように、処理移動手段２３０に支持された情報処理部２４０が配設されている。
この情報処理部２４０は、一対のガイドシャフト間に架橋する状態で保持される移動保持部２４１を備えている。この移動保持部２４１には、ガイドシャフトを移動可能に嵌挿する図示しない保持部と、移動用電動モータの出力軸に連結されたリードスクリュの係合溝に係合する図示しない移動規制爪部と、を備えている。そして、情報処理部２４０は、例えば図示しないフレキシブル回路により制御回路部に電気的に接続されている。
また、この情報処理部２４０は、図示しない光源と、この光源からの光を収束するレンズ２５１と、光ディスクで反射された出射光を検出する図示しない光センサとを有する光ピックアップ２５０を備えている。この光ピックアップ２５０は、情報処理部２４０に電気的および機械的に接続されるフレキシブル基板１５０（図３参照）に電気的に接続され、このフレキシブル基板１５０を介して回路基板１４０の制御回路に接続されている。そして、光ピックアップ２５０は、制御回路の制御により、光ディスクの記録面に記録された各種情報を読み取って出力回路部へ出力する情報処理である読取処理や、制御回路部からの各種情報を記録面に記録する情報処理である記録処理を実施する。
【００１４】
そして、フレキシブル基板１５０は、可撓性を有した樹脂フィルムに導電パターが印刷されて略長手帯状に形成されている。
このフレキシブル基板１５０は、長手方向の一端部が情報処理部２４０に一体的に設けられている。具体的には、フレキシブル基板１５０は、図４に示すように、台座部２１０に配設された情報処理部２４０の移動方向へ延出する状態に設けられている。
また、フレキシブル基板１５０の長手方向の他端部には、詳細は後述するが、回路基板１４０に接続される端子部１５１が設けられている。この端子部１５１は、情報処理部２４０からのフレキシブル基板１５０の延出方向に略沿って配列する図示しない複数の端子を備えている。
そして、フレキシブル基板１５０は、他端側が折り返されるように中間部が屈曲され、端子部１５１が回路基板１４０に接続される。
【００１５】
また、台座部２１０の上面側には、図１ないし図３に示すように、カバー部材としてのＴＭカバー部材３００が設けられている。
このＴＭカバー部材３００は、例えばアルミなどの軽量金属により形成され、トラバースメカ２００のディスク回転駆動手段２２０の回転用電動モータ、処理移動手段２３０、情報処理部２４０の一部、フレキシブル基板１５０を覆う状態に台座部２１０に固定されている。そして、このＴＭカバー部材３００は、フレキシブル基板１５０の光ディスク側への突出や、光ディスクの情報処理部２４０への接触などを防止する。
そして、ＴＭカバー部材３００は、情報処理部２４０の光ピックアップ２５０の移動経路、すなわちターンテーブル２２１の径方向に沿って処理開口部３０１が設けられている。この処理開口部３０１により、光ピックアップ２５０のレンズ２５１が光ディスクの記録面に対向し、記録面に所定波長の光を射出可能となっている。
【００１６】
回路基板１４０は、各種回路を構成する電気部品が搭載されたプリント基板で、図３に示すように、トレイ部１２０の背面側でトラバースメカ２００が位置しないケース体１１０に対する基端側に位置して配設されている。
具体的には、回路基板１４０は、長方形部１４１と、この長方形部１４１の一縁から一連に突出し先端に従って幅狭となる傾斜部１４２と、を有している。傾斜部は、トレイ部１２０のケース体１１０に対する進退方向と交差し情報処理部２４０の移動方向と略平行となる状態にトレイ１２１にトラバースメカ２００が配設されることによる残りの領域に対応、すなわち、トラバースメカ２００の長手方向の一縁に略平行となる傾斜縁１４２Ａを有する形状に形成されている。
【００１７】
そして、回路基板１４０の長方形部１４１には、トレイ部１２０に配設されたトラバースメカ２００のディスク回転駆動手段２２０に近接する位置に、ディスク回転駆動手段２２０が図示しない例えばフレキシブルケーブルなどのケーブルを介して接続されるモータ用コネクタ１４５が配設されている。
また、回路基板１４０の傾斜部１４２には、フレキシブル基板１５０の端子部１５１が接続されるコネクタ１４６が搭載されている。コネクタ１４６は、端子部１５１の複数の端子に対応した端子である複数の電極１４６Ａを有し、電極１４６Ａの配列方向が傾斜部１４２の傾斜縁１４２Ａと略平行となる状態に配設されている。このコネクタ１４６は、トラバースメカ２００側に向けて開口し、フレキシブル基板１５０の端子部１５１が回路基板１４０の平面方向に略沿って差し込み挿入されて接続される状態に配設されている。
【００１８】
また、回路基板１４０には、トレイ部１２０に設けられた図示しない係止部としての係止リブが嵌挿されて位置決めされる係合部としての位置決め孔１４７が設けられている。そして、回路基板１４０は、係止リブと位置決め孔１４７とが係合する状態で、回動可能となっている。ここで、位置決め孔１４７は、コネクタ１４６の電極１４６Ａの配列方向の略延長線上に位置して設けられている。すなわち、回路基板１４０の回動により、コネクタ１４６の開口する向きが効率よく変更できる位置である。
なお、位置決め孔１４７は、搭載される電気部品や制御回路構成などにより、電極１４６Ａの配列方向の延長線上に最も近接する位置であればよい。また、係止リブとして、略円柱状に形成された構成が好ましい。また、本発明では、係止部としてリブ形状、係合部として孔形状で説明したが、例えば係止部を孔形状として、係合部をリブ形状とするなどしてもよい。
さらに、回路基板１４０には、トレイ部１２０に回路基板１４０を取付固定するための図示しない取付部材としての取付ねじが挿通される取付挿通孔１４８が設けられている。取付挿通孔１４８は、位置決め孔１４７を中心として円弧状の長孔に形成され、取付ねじのトレイ部１２０への螺着により回路基板１４０が位置決め固定されて取り付けられる。
【００１９】
〔ディスク装置の動作〕
次に、上記ディスク装置の動作について説明する。動作として、組立動作について説明する。
【００２０】
ディスク回転駆動手段２２０や情報処理部２４０があらかじめ組み付けられて構成されたトラバースメカ２００をトレイ部１２０に取り付ける。
また、回路基板１４０の位置決め孔１４７にトレイ部１２０の係止リブを嵌挿させて位置決め配設する。この状態で、トラバースメカ２００の情報処理部２４０から延出するフレキシブル基板１５０を折り返すように屈曲させ、端子部１５１を回路基板１４０のコネクタ１４６に接続させる。
この接続時に、フレキシブル基板１５０にねじれなどが生じないように端子部１５１が円滑にコネクタ１４６に接続される状態に、回路基板１４０を係止リブを中心として回動させる。そして、フレキシブル基板１５０がねじれずにコネクタ１４６に接続できる位置で、取付ねじをトレイ部１２０に螺着して回路基板１４０をトレイ部１２０に位置決め固定して取り付ける。この後、フレキシブル基板１５０をコネクタ１４６に接続する。
そして、トレイ部１２０をケース体１１０に組み付けてディスク装置１００が組み立てられる。
【００２１】
〔ディスク装置の作用効果〕
上述したように、上記一実施形態では、移動する情報処理部２４０に一体的に接続するフレキシブル基板１５０が接続される回路基板１４０に、トレイ部１２０の係止リブに位置決めされる位置決め孔１４７と、この位置決め部を中心とした円弧長孔状でトレイ部１２０にねじ止めされる取付ねじが挿通される取付挿通孔１４８とを設けている。
このため、例えばフレキシブル基板１５０の情報処理部２４０から延出する方向の寸法公差やフレキシブル基板１５０の端子部１５１が接続される回路基板１４０のコネクタ１４６の開口する向きの寸法公差、ねじ止めの孔の位置の寸法公差などが生じていても、フレキシブル基板１５０をねじったりすることなくフレキシブル基板１５０の端子部１５１とコネクタ１４６との差し込み接続作業が、位置決め孔１４７を中心として回路基板１４０を回動させることで容易にできる。したがって、取付ねじを挿通する取付挿通孔１４８を円弧長孔状に形成する簡単な構成で、フレキシブル基板１５０にねじれが加わることなく適切に接続でき、組み付け作業性が向上して製造性を向上できるとともに、安定した情報処理部２４０の移動が得られ、良好な情報処理が得られる。
【００２２】
そして、ターンテーブル２２１を長手枠状の台座部２１０の長手方向の一端部に配設するとともに情報処理部２４０を台座部２１０の長手方向に略沿って移動可能に配設してトラバースメカ２００を構成し、このトラバースメカ２００をターンテーブル２２１がケース体１１０の略中央に位置し台座部２１０の他端側がトレイ部１２０の一隅に位置する状態に斜めに配設する。そして、トラバースメカ２００が位置しないケース体１１０に対するトレイ部１２０の他の領域となる基端側に位置して回路基板１４０を配設している。すなわち、回路基板１４０を、トラバースメカ２００の配置位置に対応、具体的には、長方形部１４１と、この長方形部１４１の一縁から一連に突出し先端に従って幅狭となる傾斜部１４２とを有したトラバースメカ２００の配設位置以外の領域に対応した形状に形成している。
このため、ディスク回転駆動手段２２０との接続のためのモータ用コネクタ１４５をディスク回転駆動手段２２０に近接する回路基板１４０の長方形部１４１に搭載させ、情報処理部２４０から延出するフレキシブル基板１５０との接続のためのコネクタ１４６を情報処理部の移動方向に沿う傾斜縁を有した近接する位置となる回路基板１４０の傾斜部１４２に搭載させることができる。したがって、接続のためのフレキシブルケーブルやフレキシブル基板１５０を最小限の長さにでき、組み付け作業性も向上できる。さらには、情報処理部２４０の移動方向に対して交差、すなわち直交する状態にコネクタ１４６を配設しているので、傾斜縁１４２Ａに沿って電極１４６Ａが配列する状態にコネクタ１４６を配設すればよく、回路基板１４０の製造性も向上できる。また、ケース体１１０における有効領域を効率よく利用した回路基板１４０に形成でき、ディスク装置１００の小型化も得られる。
【００２３】
また、コネクタ１４６の搭載により、フレキシブル基板１５０と回路基板１４０との接続作業性を向上できる。
さらには、コネクタ１４６は、トラバースメカ２００側に向けて開口してフレキシブル基板１５０の端子部１５１が挿入されて接続される状態に配設されている。
このため、例えば回路基板１４０の厚さ方向に略沿って開口する状態で配設される構成に比して、ディスク装置１００をより薄型化でき、特にノートパソコンなどの携帯型の電気機器に有効である。
【００２４】
そして、コネクタ１４６の電極１４６Ａの配列方向の延長線上に略位置する状態、すなわち配列方向の延長線上に近接する位置に位置決め孔１４７を設けている。
このため、回路基板１４０の回動によるコネクタ１４６の開口する向きを効率よく変更でき、回路基板１４０の配設位置の微調整で適切なフレキシブル基板１５０の接続状態が容易に得られる。
【００２５】
〔実施形態の変形〕
なお、本発明は、上述した一実施の形態に限定されるものではなく、本発明の目的を達成できる範囲で以下に示される変形をも含むものである。
【００２６】
すなわち、本発明のディスク装置を、いわゆるスリムドライブタイプを例示して説明したが、例えばトレイにトラバースメカ２００が配設されていないトレイタイプなどの各種形態のディスク装置１００に適用できる。また、設置型の記録再生装置、記録装置、再生装置、設置型や携帯型のパーソナルコンピュータ、ナビゲーション装置、ディスクカメラレコーダなど、各種電気機器に適用できる。
【００２７】
また、コネクタ１４６を情報処理部２４０の移動方向に対して直交する方向に向けてフレキシブル基板１５０が差し込み可能に開口する状態に配設したが、直交する方向に限らず、例えば情報処理部２４０の移動方向に対して交差する方向や移動方向に略沿って開口する状態に配設してもよい。この場合には、フレキシブル基板１５０を折り返すように屈曲させた状態で端子部１５１が開口方向となる差し込み方向に向く状態、すなわち、情報処理部２４０の移動方向と開口方向とのなす角と同角度で端子部１５１が突出するようにフレキシブル基板１５０を形成すればよい。
なお、コネクタ１４６を設けず、例えば端子部１５１を回路基板１４０に半田付けするなど直接接続させる構成としてもよい。
さらには、情報処理部２４０に一体的にフレキシブル基板１５０を設けて説明したが、例えば情報処理部２４０にもコネクタなどを設けて接続させる構成としてもよい。
【００２８】
そして、回路基板１４０を長方形部１４１と傾斜部１４２とを有した異形状に形成して説明したが、例えば傾斜部１４２を有さず、長方形部１４１のみの単純形状に形成し、この位置にコネクタ１４６を設けてもよい。すなわち、上述したように、情報処理部２４０の移動方向に対して交差する位置関係で配設してもよい。
また、トラバースメカ２００を長手方向がトレイ部１２０のケース体１１０に対する進退方向に対して交差する状態に配設したが、例えば長手方向すなわち情報処理部２４０の移動方向がいずれの方向で配設されてもよい。すなわち、光ディスクの搬送経路や搬送するための構成、情報処理位置の関係など、適宜設計に応じてトラバースメカ２００が配設されるいずれの形態にも適用できる。また、トレイ部１２０にトラバースメカ２００を配設したが、トレイ部１２０を有しない構成、例えば光ディスクを搬送するローラやアームなどを備えた構成では、ケース体１１０内に回路基板１４０とともに配設した構成にも適用できる。
さらには、トラバースメカ２００として一体構成を配設する構成に限らず、例えばディスク回転駆動手段２２０と情報処理部２４０とが別体構成としてそれぞれケース体１１０内に配設された形態にも適用できる。
【００２９】
そして、位置決め孔１４７および取付挿通孔１４８としては、図３に示すように、回路基板１４０の隅部分に設けて説明したが、搭載する電気部品や制御回路構成などに応じて、適宜の位置に設けることができる。
さらには、取付挿通孔１４８としては、３つ設けて説明したが、３箇所に限らず、１箇所もしくは複数のいずれの箇所に設けてもよい。
【００３０】
その他、本発明の実施の際の具体的な構造および手順は、本発明の目的を達成できる範囲で他の構造などに適宜変更できる。
【００３１】
〔実施の形態の効果〕
上述したように、移動する情報処理部２４０に一体的に接続するフレキシブル基板１５０が接続される回路基板１４０に、トレイ部１２０の係止リブに位置決めされる位置決め孔１４７と、この位置決め部を中心とした円弧長孔状でトレイ部１２０にねじ止めされる取付ねじが挿通される取付挿通孔１４８とを設けている。
このため、例えばフレキシブル基板１５０の情報処理部２４０から延出する方向の寸法公差やフレキシブル基板１５０の端子部１５１が接続される回路基板１４０のコネクタ１４６の開口する向きの寸法公差、ねじ止めの孔の位置の寸法公差などが生じていても、フレキシブル基板１５０をねじったりすることなくフレキシブル基板１５０の端子部１５１とコネクタ１４６との差し込み接続作業が、位置決め孔１４７を中心として回路基板１４０を回動させることで容易にできる。したがって、取付ねじを挿通する取付挿通孔１４８を円弧長孔状に形成する簡単な構成で、フレキシブル基板１５０にねじれが加わることなく適切に接続でき、組み付け作業性が向上して製造性を向上できるとともに、安定した情報処理部２４０の移動が得られ、良好な情報処理が得られる。
【図面の簡単な説明】
【００３２】
【図１】本発明の一実施形態に係るディスク装置の内部の概略を示す平面図である。
【図２】前記一実施形態におけるディスク装置のトレイ部を引き出した状態におけるディスク装置の内部を示す平面図である。
【図３】前記一実施形態におけるトレイ部の背面側を示す平面図である。
【図４】前記一実施形態における情報処理部を示す平面図である。
【符号の説明】
【００３３】
１００……ディスク装置
１１０……筐体を構成するケース体
１２０……筐体を構成するトレイ部
１４０……回路基板
１４６……コネクタ
１４６Ａ…端子である電極
１４７……係合部としての位置決め孔
１４８……取付挿通孔
１５０……フレキシブル基板
１５１……端子部
２２１……保持手段としてのターンテーブル
２４０……情報処理部
【図１】
2008130127.tif 000003
【図２】
2008130127.tif 000004
【図３】
2008130127.tif 000005
【図４】
2008130127.tif 000006